(57)【要約】【課題】電力の必要性が増大し、原子発電所が多数出現したが、その危険性があきらかになってきた。太陽や風、水力等の自然エネルギーを用いて発電する研究も進んでいるが、原子力発電に比べてコストが高く、普及にはまだまだ時間を要する。安全で安価な動力を発生する装置が待ち望まれている。      【解決手段】  永久磁石間の異極吸引力又は同極反発力を利用した磁力回転装置であって両面の一部に突起部を有する面方向に移動可能な移動磁石で回転軸を有する回転磁石を回転させる磁力回転装置である。【選択図】    図１
2013031326.tif 000002
【特許請求の範囲】
【請求項１】
永久磁石間の異極吸引力又は同極反発力と衝突反力を利用した磁力回転装置であって、            
両面の一部に突起部を有する面方向に移動可能な移動磁石と、両側面に回転軸を有する回転磁石を前記移動磁石の両面に対向させて配置し、前記移動磁石が異極吸引力により一方側の前記回転磁石の側に移動して両方の磁石面が接触する寸前に、前記突起物が一方側の前記回転磁石の一部を突いて前記回転磁石を１回転させると同時にその衝突反力と反発力と前記回転磁石の回転の過程で同極反発が半回転時をピークに伴い他方側の回転磁石方向に前記移動磁石が逆移動し、移動磁石と他方側の回転磁石両方の磁石面が異極面となり、吸引力によって接触する寸前に反対側の突起部で他方側の回転磁石の一部を突いて回転磁石を１回転させると同時に一方側の前記回転磁石側へ再び前記移動磁石を移動させることを連続して反復させることを特徴とした磁力回転装置。
【請求項２】
面方向に平行にスライド移動可能な移動磁石が対向して平行に設けたレールによってスライド移動可能にしたことを特徴とした磁力回転装置。  
【請求項３】
永久磁石間の異極吸引力又は同極反発力と衝突反力を利用した磁力回転装置であって、            
両側面に回転軸を有する回転磁石を中心に前記移動磁石を左右両側面に対向させて配置し、前記左右の一方の移動磁石の対面の一部に突起部を儲け回転磁石の対面を異極吸引に配置し、相対する他方の移動磁石を回転磁石の対面に前記一方の移動磁石の一部の突起部に対し相反対する場所に突起部を設けて前期回転磁石に対し同極反発に配置し、前記一方の移動磁石が吸引により移動し回転磁石の一部を突いて半回転させると同時にその衝突反力で逆移動し、突かれた回転磁石の半回転のため対面が同極反発に変化を伴い逆走して戻る、他方の移動磁石は回転磁石の半回転により対面が同極反発から異極吸引に変化し前記中央の回転磁石側に移動し突起部が回転磁石の一部を更に突いて残りの半回転をさせると同時にその衝突反力と反発力でまた逆移動する。  左右磁石が交互に移動し前記回転磁石を突き連続して回転磁石の回転を反復させることを特徴とした磁力回転装置。
【発明の詳細な説明】
【技術分野】
【０００１】
本発明は、複数の磁石の移動と回転による動力を発生させる回転装置である。
【背景技術】
【０００２】
磁力による動力の発生装置は古今東西を問わず数多く発表されているが、いずれも部分的に磁石を儲け、その磁石同士が近づき、離れるときに発生する吸引力と反発力で回転力を発生させる装置である（例えば特許文献１、特許文献２参照）
【先行技術文献】
【特許文献】
【０００３】
【特許文献１】特開２００９−１６５３４３公報
【特許文献２】特開２０１１−１０９８３０公報
【発明の概要】
【発明が解決しようとする課題】
【０００４】
実用されていない上記の様な従来の永久機関に類する装置に変わり、本発明では磁石を移動することにより、他の磁石を回転させて動力を発生させる装置に関する。
【課題を解決するための手段】
【０００５】
本発明は、永久磁石間の異極吸引力又は同極反発力と衝突反力を利用した磁力回転装置であって、両面の一部に突起物を有する面方向に平行に移動可能な移動磁石と、両側面に回転軸を有する回転磁石を前記回転磁石に対抗させて配置し、前記移動磁石が異極吸引力により一方側の前記回転磁石の側に移動して両方の磁石面が接触する寸前に、前記突起部が一方側の前記回転磁石の一部を突いて前記回転磁石を一回転させると同時にその衝突反力と反発力により他方側の回転磁石方向へ前記移動磁石が逆移動し、両方の異極吸引力により接触する寸前に反対側の突起部で他方側の回転磁石の一部を突いて他方側の回転磁石を回転させると同時に一方側の前記回転磁石へ再び前記移動磁石を移動させることを連続的に反復させる磁力回転装置である。
【０００６】
なお、面方向に平行に移動可能な移動磁石が対向して平行に設けたレールによ
って移動可能にしても良い。
【０００７】
前記両側面に回転軸を有する回転磁石を中心に前記移動磁石を左右両側に対向させて配置し、前記左の一方の移動磁石の対面の一部に突起部を儲けた回転磁石を異極吸引に配置し、右の他方の移動磁石を回転磁石の対面に前記一方の移動磁石の一部の突起部に対し相反対する箇所に突起部を設けて回転磁石に対し同極反発に配置する、前記一方の移動磁石が吸引により移動し回転磁石の一部を突いて半回転させると同時にその衝突反力と、突かれた前記回転磁石の回転で異極面が同極面に変化し反発移動を続け、他方の移動磁石は回転磁石の半回転により対面が同極反発から異極吸引に変化した磁力により移動し突起部が半回転を終わろうとしている回転磁石の一部を更に突いて残りの半回転をさせると同時にその衝突反力で逆行さらに同極反発で移動が続く、左右磁石が交互に移動して前記回転磁石を突き回転させることを反復することを特徴とした磁力回転装置。
【発明の効果】
【０００８】
本発明の磁力による回転装置は、発電機への利用を目指しているが、危険性を常にはらんでいる原子力発電や太陽や風、地熱、波浪等の自然エネルギーはコスト面や安定性等の点から普及が遅れている。本発明では磁石の本質である異極吸引力と同極反発力及び新たな要素である衝突力を組み合わせて磁石に回転力を当てようとするものであり、従来の原始発電装置に比べて安全であり、自然エネルギーによる発電よりも簡単で廉価に実施できるなどの効果を有している。
【図面の簡単な説明】
【０００９】
【図１】本発明の実施例となる移動磁石が中央部に位置した状態を示す基本的な説明斜視図である。
【図２】中央部に位置した移動磁石が右側の回転磁石に移動した状態を示す説明斜視図である。
【図３】移動磁石が右側の回転磁石で反発され左側の磁石に移動した状態示す説明斜視図である。
【図４】移動磁石の移動構成例を示す拡大説明斜視図である。
【図５】移動磁石が移動する移動具をソリ型にしての滑走前の中央部に位置した状体を示す基本的な説明側面図である。
【図６】ソリ型移動具に設けた移動磁石が右側の回転磁石に移動し回転磁石の一部を突起部が突き回転させる側面説明図である。
【図７】回転させられた回転磁石が１回転途中で移動磁石の対面を異極から同極に変わり反発を受け左側に滑走中の説明側面図である。
【図８】反発滑走中の移動磁石が左側の回転磁石に異極吸引され回転磁石の一部を突起部が突き回転させる側面説明図である。
【図９】衝突反力で逆行、さらに左側の回転磁石が同極反発と変わり右側の回転磁石方向に移動中の説明側面図である。
【図１０】右側に移動して戻り回転磁石を再び回転させる説明側面図である。
【図１１】左右に移動磁石を配置し中央に回転磁石が置かれた状体の基本的な説明側面図である
【図１２】左側の移動磁石が中央の回転磁石に吸引され突起部が突いて回転磁石を半回転させる説明側面図である。
【図１３】中央の回転磁石が半回転したところを右側の移動磁石が吸引移動し突起部が衝突し更に一回転の残りを半回転させる直前の説明側面図である。
【図１４】前記突起部で衝突され回転磁石が後半の回転に入ったところのの図である。
【発明を実施するための最良の形態】
【００１０】
以下、本発明を実施図となる図面を参照しながら説明する。
【実施例１】
【００１１】
本発明の磁石磁力回転装置は、永久磁石間の異極吸引力又は同極反発力と衝突反発力を利用した磁力回転装置であって、両面の一部にそれぞれ突起部５を有する面方向に平行に移動可能な移動磁石Ａと、両側面に回転軸２を有する右側の回転磁石Ｂと左側の回転磁石Ｃを前記移動磁石Ａの両面に対向させて配置する。            
【００１２】
そして前記移動磁石Ａが異極吸引力により一方側の前記回転磁石Ｂ側に移動して両方の磁石面Ａ、Ｂが接触する寸前に、前記突起部５が一方側の前記回転磁石Ｂの一部を突いて前記回転磁石Ｂを１回転させると同時にその衝突反力と同極反発力により他方側の回転磁石Ｃ方向へ前記移動磁石Ａが移動し、両方の磁石面Ａ，Ｃが異極吸引力で接触する寸前に反対側の突起部５で他方側の回転磁石Ｃ
を１回転させて同極反発力を得ると同時に一方側の前記回転磁石Ｂ側へ異極吸引力により再び前記磁石Ａをスライド移動させることを連続的に反復させる磁力回転装置である。
【００１３】
図１から図３は、本発明の磁石の動きを説明しており、図１は、本発明の実施例において、移動磁石Ａが中央部にあって回転磁石Ｂ、Ｃの磁力が作用し移動磁石ＡのＳ極面と回転磁石ＢのＮ極面で吸引力が働き、回転磁石Ｂ側へ動き出す寸前の状態を示している。回転磁石Ｂ，Ｃは、何れも移動磁石Ａに対面が異極のため回転磁石Ｂ，Ｃ側のどちら側に始動するかは判らない、置かれたときの左右の吸引力による。  なお、図４は移動磁石Ａの両側面に取り付けたスライド移動のための移動具を示している。
【００１４】
図２は、移動磁石ＡのＳ極面と回転磁石ＢのＮ極面で吸引力が働き、移動磁石Ａが回転磁石Ｂ側に移動し、両磁石が接近し、移動磁石Ａの面に設けた突起部５が回転磁石Ｂの面の一部に衝突して回転磁石Ｂは回転軸２中心にして回転する寸前の状体の説明である。
【００１５】
図３は、図２の状体から衝突反力で弾き飛ばされた移動磁石Ａが回転磁石Ｃ側に移動し、回転磁石Cに吸引され、移動磁石Ａの面に設けた突起部５が回転磁石Ｃの一部に衝突して回転磁石Ｃは回転軸２を中心にして回転し移動磁石Ａは衝突反力で逆行する直前の状態を現している。
【００１６】
なお、図４は、移動磁石Ａの両側面に移動具（板）４を設けて孔を開け、対向して平行に設置された４本のレール３上を円滑にスライドし移動するための構成を説明している。  前記移動磁石の移動を円滑にするために、このほかに移動磁石の移動手段としては移動磁石Ａとレール３の間にはボールベアリングや車輪の使用も望ましい。  又、左右の回転磁石Ｂ，Ｃを１回転させるための磁力の強さと、移動磁石Ａの移動の速さ、更には移動する磁石Ａの運搬具４の摩擦度等のバランスが必要で停止版７と突起部５の先端部には反発力のあるゴム又はバネ等弾力のあるものを設けても良い。
【００１７】
突起部５は、棒状体でも良く、移動し回転磁石Ｂ、Ｃと衝突のくり返しでともども破損も考えられるので一定期間使用後は交換することが望ましい。
【実施例２】
【００１８】
図５より図１０は、前記図１から図４まで移動磁石Ａと回転磁石Ｂ，及びＣとの動きの関係を説明したが、ここでは、移動磁石Ａの移動具４を、ソリ型に変えて説明する。  異極吸引により回転磁石Ｂ側に滑走させて前記突起部５を衝突させ、その衝突反力で逆走し回転磁石Ｂの回転過程での同極反発への変化のため逆行が続き回転磁石Ｃ側の磁場内に入り吸引状態となり対面の突起部５が回転磁石Ｃの一部を突いて回転させながら、衝突反力と回転の過程で又同極反発の状態に入り回転磁石Ｂ側に移動する。  移動磁石Ａが両回転磁石Ｂ．Ｃ間の往復をくり返す移動過程の説明図である。
【００１９】
図５は、前記移動磁石Ａが回転磁石Ｂと回転磁石Ｃの中間に位置し、左右両回転磁石Ｂ，Ｃそれぞれに対面を異極吸引とし、どちらかに移動を始める直前の基本的関係を表している。
【００２０】
図６は、移動磁石Ａが異極吸引にて右側の回転磁石Ｂに近づき側面に設けた突起部５で回転磁石Ｂを回転させた直後、衝突反力で戻され回転磁石Ｂの回転の中間で移動磁石Ａの対面をＮ極からＳ極に変わり始めの図である。
【００２１】
図７では、図６の衝突反力により移動磁石Ａが回転磁石Ｂから離れ、回転磁石Ｃ側に移動開始し  回転磁石Ｂが移動磁石Ａの対面をＮ極からＳ極にほぼ変化し、更に回転磁石Ｃの異極吸引の磁場に追われたところの状態図である。
【００２２】
図８では、図７で移動磁石Ａが回転磁石Ｃの磁場に入り吸引接近し側面に設けた突起部５が前記回転磁石Ｃの一部に衝突し回転させたところの図である。
【００２３】
図９は、移動磁石Ａが衝突反力で戻るのを回転磁石Ｃが回転途中のほぼ半回転の状態で移動磁石Ａに対する面がＳ面からＮ面に変わり、移動磁石Ａを反発し且つ他方の回転磁石Ｂが異極吸引しているところの移動磁石Ａの戻りの途中の図である。
【００２４】
図１０は、移動磁石Ａが回転磁石Ｂとの間で異極吸引状体となり回転磁石Ｂに接近側面に設けた突起部５で回転磁石Ｂの一部を突いた直後の図６の状体に戻ったところの図であり図５からの連動を示し、これが反復する。
【実施例３】
【００２５】
図１１から図１４の説明図は前記図１より図１０までの回転磁石Ｂ、Ｃの全てが異極吸引中の移動磁石Ａに設けられた突起部５の衝突で一回転し、その回転途中で対面が同極反発に変わり元の異極吸引に戻るのと異なり、移動磁石Ａの突起部５による衝突で回転磁石Ｂは半回転し、残りの半回転を他の移動磁石IIＤの突起部５による衝突で一回転を完成させる、異極吸引と同極反発の反復状態が行われるところの回転磁石Ａの一回転の経過の説明図であり移動磁石の移動手段の移動具４を車輪に変えた図でもある
【００２６】
図１１では、中央の回転磁石Ｂの左右両側に移動磁石Ａと移動磁石IIＤを設置し、設置状体は前記回転磁石Ｂが左側の移動磁石Ａに対面を異極吸引状態にし、他方右側の移動磁石Ｄの対面を同極反発にした基本説明図である。
【００２７】
図１２は、吸引移動した前記移動磁石Ａが側面に備えつけた突起部５で回転磁石Ｂ上部の一部に衝突し回転磁石Ｂを回転させるところの図である。
【００２８】
図１３は、中央の回転磁石Ｂが略半回転し左側の移動磁石Ａの対面を同極反発に変化し、衝突反力により逆行中の前記移動磁石Ａを更に追いやると共に右側の移動磁石IIＤに対面を異極吸引の状態にして移動磁石IIＤを吸引し移動磁石IIＤに設けられた突起部５が下部の一部に衝突、残りの半回転に入る寸前の図である。
【００２９】
図１４は、図１３の移動磁石IIＤが残りの半回転を回転させるために回転磁石Ｂの下部の一部を突起部５で突いた状体を表した図である。  この一連の動きが反復され回転磁石Ｂの回転を持続する。
【符号の説明】
【００３０】
Ａ    移動磁石
Ｂ    回転磁石Ｂ
Ｃ    回転磁石Ｃ
Ｄ    移動磁石IIＤ
２    回転軸
３    レール
４    移動具（板）
５    突起部
６    弾力部  
７    停止所
８    支柱  
Ｎ    Ｎ極磁面
Ｓ    Ｓ協磁面
【図１】
2013031326.tif 000003
【図２】
2013031326.tif 000004
【図３】
2013031326.tif 000005
【図４】
2013031326.tif 000006
【図５】
2013031326.tif 000007
【図６】
2013031326.tif 000008
【図７】
2013031326.tif 000009
【図８】
2013031326.tif 000010
【図９】
2013031326.tif 000011
【図１０】
2013031326.tif 000012
【図１１】
2013031326.tif 000013
【図１２】
2013031326.tif 000014
【図１３】
2013031326.tif 000015
【図１４】
2013031326.tif 000016